(57)【要約】      （修正有）【課題】下地床面に熱媒導管を配置・固定する際に、余分なスペースが生じ難く、凹凸のないバリヤフリー床面とすることができる、熱媒導管敷設用補助部材を提供する。【解決手段】床暖房用マットと実質的に同一厚さであって、平面形状が短辺１に対し長辺３の寸法とし、長辺を三ブロックに分割する境目上に切断用溝が形成された長方形とし、この部材の一方の面には、熱媒導管外径と同一ないし若干大きい幅で、熱媒導管外径と同一ないし若干大きい深さとして、長さ方向に直角に切断した際の断面がＵ字型とされた少なくとも二本の溝を湾曲させて刻設し、一本の溝は左右ブロックの左右の端から中央ブロックの外側の同じ一辺に達し、残りの一本の溝は左右ブロックの左右の端から同じブロックの他辺に達する構造とされてなることを特徴とする。【選択図】図１
2004333020.tif 000002
【特許請求の範囲】
【請求項１】
床暖房用マットの周縁部に配置されたヘッダ部と、熱媒制御部とを繋ぐ熱媒導管を湾曲させて配置・固定するための熱媒導管敷設用補助部材において、この熱媒導管敷設用補助部材は、床暖房用マットと実質的に同一厚さであって、平面形状が短辺１に対して長辺３とされ、長辺を三つのブロックに分割可能な長方形とされ、長辺を三ブロックに分割する境目上に切断用溝が形成され、切断用溝が形成された面には、熱媒導管外径と同一ないし若干大きい幅で、熱媒導管外径と同一ないし若干大きい深さとして、長さ方向に直角に切断した際の断面がＵ字型とされた少なくとも二本の溝を湾曲させて刻設し、一本の溝は左右ブロックの左右の端から中央ブロックの外側の同じ一辺に達し、残りの一本の溝は左右ブロックの左右の端から同じブロックの他辺に達する構造とされてなることを特徴とする、熱媒導管敷設用補助部材。
【請求項２】
中央ブロックには、切断用溝が形成された同じ面に、中央ブロックの対角線上に切断用溝が形成された、請求項１に記載の熱媒導管敷設用補助部材。
【請求項３】
長辺を三ブロックに分割する境目上に形成された切断用溝、および、対角線上の形成された切断用溝の双方が、長さ方向に直角に切断した際の最深部断面がＶ字型とされてなる、請求項１または請求項２に記載の熱媒導管敷設用補助部材。
【請求項４】
熱媒導管敷設用補助部材は、合成樹脂を原料として射出成形法で製造されたものである、請求項１ないし請求項３のいずれか一項に記載の熱媒導管敷設用補助部材。
【請求項５】
熱媒導管敷設用補助部材は、二本の溝、三ブロックに分割する境目上に形成された切断用溝、および、中央ブロックの対角線上に形成された切断用溝と重ならない部分に、複数のビス止用穴が穿設されている、請求項１ないし請求項４のいずれか一項に記載の熱媒導管敷設用補助部材。
【発明の詳細な説明】
【０００１】
【発明の属する技術分野】
本発明は、熱媒導管（連絡導管または連絡チューブ）敷設用補助部材に関する。さらに詳しくは、床暖房用マット（または放熱板）のヘッダ部と、熱媒制御部に連接するヘッダ部とを繋ぐ熱媒導管を、床面に配置・固定する際に用いられ、広いダミー板（またはダミーマット）の敷設が必要な余分なスペースが生じ難く、凹凸のないバリヤフリー床面とすることができる、熱媒導管敷設用補助部材に関する。
【０００２】
【従来の技術】
従来、多様な床暖房技術が提案され、実用化されている。この床暖房技術の一例として、発泡合成樹脂などから調製された板状体（または基体）に、温水などの熱媒を通す熱媒導管をあらかじめ埋設した床暖房用マットを床面に敷設し、その上側にカーペットや木製化粧板などの表面被覆材（または表装材）を敷設して、暖房可能な床とする技術が挙げられる。この種床暖房用マットは、室内の暖房したい場所に配置されるが、この際、暖房を必要としない床部分には、床暖房用マットと同質または異なる材料で調製したダミー板を敷設して、凹凸のないバリヤフリー床とし、かつ、床面を歩行した際の感触を同一にする手法が採用されている。
【０００３】
上記した床暖房用マットを構成する板状体（基体）に埋設された熱媒導管の端部は、この板状体の周縁部または板状体の外側に配置したヘッダ部に集められ、屋外の適所または屋内の壁面側や隅部に設置された熱媒の供給量や温度を制御する熱媒制御部に、熱媒導管を介して繋がれる。この熱媒導管は、通常、上記したダミー板内に埋め込まれて固定されることとなり、ダミー板はこれを敷設する場所の広さ・形状に合わせてそのサイズを微調整した上で、床面の所望の場所に敷設される。
【０００４】
熱媒導管をダミー板内に埋め込み、固定する手法としては、特開平１１−７２２３７号公報（特許文献１）に記載されているように、断面形状が下方に開口したコの字型の硬質樹脂製型材を、床面の上に配置した熱媒導管の上に被せ、この型材の下縁に設けられた耳片を下地床面にビス止めすることによって床面に熱媒導管を固定し、この熱媒導管に被せた型材と床暖房用マットとの隙間にダミー板を敷設する、という方法が提案されている。
【０００５】
しかし、上記した方法による場合には、硬質樹脂製型材と床暖房用マットとの隙間にダミー板を敷設する際に、硬質樹脂製型材の幅や固定位置などに応じてダミー板の寸法を微調整しなければならず、作業が煩雑となるという欠点があった。発明者らは、この微調整作業の煩雑さを解消すべく検討し、完成した発明を先に特許出願した（特許文献２、先願１、先願２参照）。
【０００６】
その後更に検討の結果、敷設する場所の広さに応じて熱媒導管の数を変える場合には、提案した連絡管ガイド用補助部材では、対応が困難な場合があることが分かった。また、先願１および先願２などで提案した補助部材を使用するときは、敷設場所に余分なスペースが生じ、広いダミー板を配置したければならないなど、難点があることがわかった。
【０００７】
【特許文献１】
特開平１１−７２２３７号公報
【特許文献２】
特開２００２−１７４４３２号公報
【先願１】
特願２００２−４４７１２
【先願２】
特願２００２−３６６３２７
【０００８】
【発明が解決しようとした課題】
本発明は、広いダミー板の敷設が必要な余分なスペースが生じ難い、敷設する場所が狭くても容易に対応できる、熱媒導管敷設用補助部材を提供すべく鋭意検討の結果、本発明を完成するに至ったものである。本発明の目的は、次のとおりである。
１．敷設する場所が狭くても容易に対応でき、余分なスペースが生じ難い熱媒導管敷設用補助部材を提供すること。
２．凹凸のないバリヤフリー床面とすることができる、熱媒導管敷設用補助部材を提供すること。
【０００９】
【課題を解決するための手段】
上記課題を解決するために、本発明では、床暖房用マットの周縁部に配置されたヘッダ部と、熱媒制御部とを繋ぐ熱媒導管を湾曲させて配置・固定するための熱媒導管敷設用補助部材において、この熱媒導管敷設用補助部材は、床暖房用マットと実質的に同一厚さであって、平面形状が短辺１に対して長辺３とされ、長辺を三つのブロックに分割可能な長方形とされ、長辺を三ブロックに分割する境目上に切断用溝が形成され、切断用溝が形成された面には、熱媒導管外径と同一ないし若干大きい幅で、熱媒導管外径と同一ないし若干大きい深さとして、長さ方向に直角に切断した際の断面がＵ字型とされた少なくとも二本の溝を湾曲させて刻設し、一本の溝は左右ブロックの左右の端から中央ブロックの外側の同じ一辺に達し、残りの一本の溝は左右ブロックの左右の端から同じブロックの他辺に達する構造とされてなることを特徴とする、熱媒導管敷設用補助部材を提供する。
【００１０】
【発明の実施の形態】
以下、本発明を詳細に説明する。
本発明に係る熱媒導管（連絡導管）敷設用補助部材は、板状の床暖房用マット（放熱板）周縁部に配置され、この補助部材と組み合されて、ヘッダと熱媒制御部とを繋ぐ熱媒導管を配置・固定すると同時に、ダミー板としての機能をも果たすものである。補助部材は、この補助部材の溝に熱媒導管を埋設し、熱媒導管を床面に固定する。この熱媒導管敷設用補助部材は、同時に敷設される床暖房用マットの厚さと実質的に同一の厚さとする。この熱媒導管敷設用補助部材は厚さが８〜２０ｍｍ寸法で、大きさは短辺３ｃｍ〜１０ｃｍ、長辺が短辺の長さの通常２〜５倍とされた長方形であって、長辺を三ブロックに分割する境目上に切断用溝が形成される。長辺を三ブロックに分割する際の各ブロックの長さは、必ずしも均等である必要はない。好ましいのは、厚さが９〜１５ｍｍ、短辺が４〜１０ｃｍ、長辺が短辺の長さの略３倍で、等分割可能とされた長方形のものである。
【００１１】
熱媒導管敷設用補助部材を構成する材料は、熱媒導管敷設用補助部材が敷設される場所に応じて適宜選択することができる。例えば、熱媒導管敷設用補助部材を、家具などの什器類を載置する室内の側壁近傍に敷設する場合には、什器類の重量に耐え得るように、素材を比較的剛性の高い木、硬質ゴムとするのが好ましい。中でも、合成樹脂が好適である。
【００１２】
合成樹脂は剛性に優れたものが好ましく、具体的には一般用ポリスチレン、ゴム強化ポリスチレン、ＡＢＳ樹脂、ＡＳ樹脂などのスチレン系樹脂、ポリエチレン、ポリプロピレンなどのオレフィン系樹脂、ポリ塩化ビニル、ポリカーボネート、ポリアミド類、ポリアセタール樹脂などが挙げられる。中でも、成形性、切欠きの容易性、コストなどの観点からスチレン系樹脂、オレフィン系樹脂が好適である。合成樹脂には、充填材、着色剤、発泡剤などを配合することができる。熱媒導管敷設用補助部材は、生産性、寸法精度、強度などの観点から、上記合成樹脂を原料とし、射出成形法によって製造するのが好ましい。
【００１３】
本発明に係る熱媒導管敷設用補助部材は、床暖房用マットと実質的に同一厚さであって、上記したとおり、短辺１に対し長辺３の寸法とされた長方形状を呈し、長辺を三ブロックに分割する境目上に切断用溝が形成されている（後記、図１参照）。切断用溝は、敷設場所での敷設形態に応じて、一ブロックごとまたは一ブロック半ごとに切断（切離し）される部分である。切断用溝は、ブロックの長さ方向に直角に２ｍｍ程度で同じ幅で深い溝とし、深部断面をＶ字型とするのが好ましい。Ｖ字型の溝の最深部は、敷設作業者が手で折り曲げた際に容易に切断できる程度に薄く、２ｍｍ以下とするのが好ましい。
【００１４】
本発明に係る熱媒導管敷設用補助部材は、一方の面、好ましくは上記切断用溝を設けた面に、熱媒導管外径と同一の幅で、熱媒導管外径と同一の深さとし、長さ方向に直角に切断した際の断面がＵ字型とされた熱媒導管埋設溝を、少なくとも二本湾曲させて刻設する。断面がＵ字型とされた溝は、熱媒導管を湾曲させて埋設するためのものである。断面がＵ字型の溝は、幅を熱媒導管の外径と同一ないし若干大きい幅とし、深さを熱媒導管の外径とほぼ同一ないし若干大きい深さとするのは、熱媒導管を溝に可及的密着させた状態で埋設させて溝内で移動を防ぐためである。
【００１５】
一本の溝は、左右ブロックの左右の端から中央ブロックの外側の同じ一辺に達するように刻設し、残りの一本の溝は、左右ブロックの左右の端から同じブロックの他辺（外側辺）に達するように刻設する（後記、図ｎ参照）。二本の溝を上のように刻設するのは、熱媒導管を狭い範囲内で破損させずに湾曲させて方向転換させるためである。
【００１６】
なお、中央ブロックには、熱媒導管埋設溝を刻設した面に、対角線上に切断用溝を形成するのが好ましい。この対角線上に形成した切断用溝は、敷設場所での敷設形態に応じ切断する必要がある場合に、いずれか一方を切断（切離し）して三角形とされる部分である。中央ブロックを切断する場合は、この対角線上に形成した切断用溝を切断する。対角線上に形成した切断用溝の幅、深さ、最深部の形状などは、上記の長辺を三ブロックに分割する境目上に切断用溝に倣うのが好ましい。
【００１７】
本発明に係る熱媒導管敷設用補助部材は、上記二本の溝、三ブロックに分割する境目上に形成された切断用溝、および、中央のブロックの対角線上に形成された切断用溝と重ならない部分に、複数のビス止用穴を穿設するのが好ましい。また、補助部材の一方の面を平面とし、他方の面に、外周、上記二本の溝、三ブロックに分割する境目上に形成された切断用溝、および、中央のブロックの対角線上に形成された切断用溝、ビス止用穴などを薄いリブによって形成し、リブ以外の部分には空間を設けて部材自体を軽量化することができる。
【００１８】
本発明に係る流体導管敷設用補助部材を敷設するには、以下の手順によることができる。まず、（１）室内の所定の場所に、床暖房用マット（放熱板）を敷設する。次いで、（２）  ヘッダと熱媒制御部との間を熱媒導管によって繋ぎ、熱媒導管の上に流体導管敷設用補助部材を被せ、断面がＵ字型溝に熱媒導管を埋設する。この流体導管敷設用補助部材は、床暖房用マットの周縁部を埋めるダミー板として機能することは前記したとおりである。  （３）この流体導管敷設用補助部材の位置を微調整して決め、ビスによって床面に固定する。  （４）  床面に隙間部分があるときは、さらにダミー板を敷設し、床暖房用マットを含む表面に面に、表面被覆材（表装材）を敷設して、暖房可能な床が完成する。
【００１９】
なお、上記した手順で暖房可能な床を構成する際には、床暖房用マットと表面被覆材との間に、可撓性薄板で被覆するのが好ましい。この可撓性薄板は、熱媒導管に通す熱媒の熱を表面被覆材側に効率的に伝達する機能を果たすものである。この可撓性薄板の種類は、上記機能を果たすものであればいかなるものでもよく、例えば市販されているアルミニウム箔、錫箔、ステンレススチール箔などの金属箔を挙げることができる。中でも、製造の容易さやコストなどの観点から、アルミニウム箔が好適である。また、床暖房用マット、配管敷設用補助部材およびダミーマットの上面を被覆する表面被覆材としては、カーペット、木製板状体などを挙げることができる。
【００２０】
以下、本発明に係る配管敷設用補助部材を図面に基づいて詳細に説明するが、本発明はその趣旨を超えない限り、以下の記載例に限定されるものではない。
【００２１】
図１は、本発明に係る配管敷設用補助部材の一例の平面略図であり、図２は、図１に示した熱媒導管敷設用補助部材の右側ブロックを切断（切離した）状態の平面略図であり、図３は、図１に示した熱媒導管敷設用補助部材の中央ブロックの対角線で切断（切離した）状態の平面略図であり、図４は、他の補助部材と組合せて使用する状態を示す一例の平面略図である。
【００２２】
本発明に係る熱媒導管敷設用補助部材Ａの一例の平面略図で示したとおり、ポリエチレンを原料とし、射出成形法で製造された、厚さが１２ｍｍの平面形状が長方形であって、短辺５ｃｍに対し長辺１５ｃｍとされている。この長方形は、長辺をＡ１、Ａ２、Ａ３の三ブロックに等分する境目上に、幅が２ｍｍで深さが１０ｍｍであって、最深部の断面がＶ字状で厚さが１ｍｍとされた切断用溝ａ１２、ａ２３が形成されている。切断用溝ａ１２、ａ２３は、ブロックをＡ１とＡ２とを組合せて使用する場合、Ａ２とＡ３とを組合せて使用する場合などに活用される。図１に示した熱媒導管敷設用補助部材Ａは、長辺を三等分に分割可能とした例を示したが、分割する際の各ブロックの長さは必ずしも均等とする必要がないことは、前記したとおりである。
【００２３】
図１に示したように、この熱媒導管敷設用補助部材の切断用溝ａ１２、ａ２３が形成されている面には、長さ方向に直角に切断した際の断面がＵ字型とされた、幅１０．５ｍｍ、深さ１０ｍｍの熱媒導管埋設用溝が刻設されている。一本の溝Ａ１１、Ａ３１は左右ブロックの左右の端から中央ブロックＡ２の外側の同じ一辺に達し、残りの一本の溝Ａ１２、Ａ３２は左右ブロックの左右の端から同じブロックの他辺に達する構造とされている。熱媒導管埋設用溝の曲率半径は大きくされているので、湾曲させた導管が破損することがない。
【００２４】
中央ブロックには、図１に示したように、切断用溝が形成された同じ面に、中央ブロックの対角線上に切断用溝ａ２１と、ａ２２が形成されている。切断用溝ａ２１、ａ２２は、幅が２ｍｍで深さが１０ｍｍであって、最深部の断面がＶ字状で厚さが１ｍｍとされている。切断用溝ａ２１、ａ２２は、敷設する場所に応じて中央ブロックを切断する際に活用される。
【００２５】
本発明に係る熱媒導管敷設用補助部材Ａには、また、二本の溝（Ａ１１、Ａ３１、Ａ１２、Ａ３２）、三ブロックに分割する境目上に形成された切断用溝（ａ１２、ａ２３）、および、中央ブロックの対角線上に形成された切断用溝（ａ２１、ａ２２）と重ならない部分に、複数のビス止用穴Ｂが穿設されている。これらビス止用穴Ｂは、床面に配置された熱媒導管を床面に固定する際に活用される。
【００２６】
次に、本発明に係る熱媒導管敷設用補助部材Ａを実際に敷設する際の形態を例示するが、使用形態は以下に挙げた例に限定されるものではない。図２は、図１に示した熱媒導管敷設用補助部材の右側ブロックＡ３を切断（切り離した）した状態の平面略図である。敷設場所の状況によっては、左側ブロックＡ１を切断することができることは、前記したとおりである。図３は、図１に示した熱媒導管敷設用補助部材の中央ブロックＡ２の対角線Ａ２１で切断（切り離した）状態の平面略図であり、敷設場所の状況によっては、中央ブロックＡ２の対角線ａ２２で切断することができることは、前記したとおりである。
【００２７】
図４は、本発明に係る熱媒導管敷設用補助部材と、他の補助部材Ｃと組合せて使用する状態を示す一例の平面略図である。すなわち、中央ブロックＡ２の対角線ａ２２で切断した補助部材を、他の補助部材Ｃ（先願２の図２に示したもの）と組合せ、導管Ｄを配置した状態の一例の平面略図である。図４において、補助部材Ｃのみを使用すると、Ａ３を配置した部分とこの右側が余分なスペースが生じるが、本発明に係る熱媒導管敷設用補助部材を組合せて使用すると、余分なスペースが生じることがない。他の補助部材Ｃを右に９０度回転させ、図３に示したように切断したものと組合せると、図４に示した組合せのものと鏡面対称とすることができる。
【００２８】
図４において、右側に延在する導管は、直線状の溝が刻設されたダミー板Ｅ（図示されていない）を被せ、導管をダミー板の溝に各個別に埋設して適所に導くことができる。左側に延在する導管は、複数の導管を収容する案内溝に収容可能とした別のダミー板Ｆ（図示されていない）によって、適所に導くことができる。この別のダミー板Ｆの案内溝は直線とする必要はなく、直線と曲線とを組合せた案内溝とし、余分なスペースが生じないダミー板とすることができる。
【００２９】
以上、説明したとおり、本発明に係る熱媒導管敷設用補助部材Ａは、
三ブロックに分割する境目上に形成された切断用溝（ａ１２、ａ２３）、および、中央ブロックの対角線上に形成された切断用溝（ａ２１、ａ２２）の切断位置を変えることにより、敷設場所の状況に容易に対応することができる。
【００３０】
【発明の効果】
本発明は、以上詳細に説明したとおりであり、次のような特別に有利な効果を奏し、その産業上の利用価値は極めて大である。
１．本発明に係る熱媒導管敷設用補助部材は、平面形状が短辺１に対し長辺３の寸法とし、長辺を三ブロックに分割する境目上に切断用溝が形成された長方形とされおり、一方の面に、熱媒導管外径と同一ないし若干大きい幅で、熱媒導管外径と同一ないし若干大きい深さとして、長さ方向に直角に切断した際の断面がＵ字型とされた少なくとも二本の溝を湾曲させて刻設し、一本の溝は左右ブロックの左右の端から中央ブロックの外側の同じ一辺に達し、残りの一本の溝は左右ブロックの左右の端から同じブロックの他辺に達する構造とされてなるので、敷設場所の状況に応じて切断位置、導管配置方向を変更して容易に対応することができる。
２．本発明に係る熱媒導管敷設用補助部材は、中央ブロックの切断用溝が形成された同じ面に、中央ブロックの対角線上に切断用溝を形成したときは、敷設場所の状況に応じて切断位置、導管配置方向を変更して容易に対応することができる。
３．本発明に係る熱媒導管敷設用補助部材は、敷設する場所が狭くても容易に対応でき、余分なスペースが生じ難い。
４．本発明に係る熱媒導管敷設用補助部材は、床暖房用マットと実質的に同一厚さにされているので、凹凸のないバリヤフリー床面とすることができる。
【図面の簡単な説明】
【図１】本発明に係る熱媒導管敷設用補助部材の一例の平面略図である。
【図２】図１に示した熱媒導管敷設用補助部材の右側ブロックを切断（切り離した）状態の平面略図である。
【図３】図１に示した熱媒導管敷設用補助部材の中央ブロックの対角線で切断した状態の平面略図である。
【図４】他の補助部材と組合せて使用する状態を示す一例の平面略図である。
【符号の説明】
Ａ：熱媒導管敷設用補助部材
Ａ１、Ａ２、Ａ３：ブロック
Ａ１１、Ａ３１、Ａ１２、Ａ３：熱媒導管埋設溝
ａ１２、ａ２３：切断用溝
ａ２１、ａ２２：切断用溝
Ｂ：ビス止用穴
Ｃ：他の補助部材
Ｄ：熱媒導管
【図１】
2004333020.tif 000003
【図２】
2004333020.tif 000004
【図３】
2004333020.tif 000005
【図４】
2004333020.tif 000006